(57)【要約】      （修正有）【課題】機能性材料の流出を抑制することができるペット用吸収性シートを提供する。【解決手段】ペット用吸収性シートは、吸収コア３０と、吸収コア３０よりも表面側に設けられ、複数の親水性繊維を含む液透過性シート２０，３４と、液透過性シート２０，３４に部分的に設けられた耐水剤を含む複数の耐水性領域５０と、を有する。耐水性領域５０における耐水剤は、複数の親水性繊維によって形成される繊維間の隙間に跨って形成されている。【選択図】図２
2019110791.tif 000002
【特許請求の範囲】
【請求項１】
吸収コアと、
前記吸収コアよりも表面側に設けられ、複数の親水性繊維を含む液透過性シートと、
前記液透過性シートに部分的に設けられた耐水剤を含む複数の耐水性領域と、を有し、
前記耐水性領域における前記耐水剤は、前記複数の親水性繊維によって形成される繊維間の隙間に跨って形成されている、ペット用吸収性シート。
【請求項２】
前記耐水性領域における前記耐水剤の目付は、前記液透過性シートの目付の０．１倍以上である、請求項１に記載のペット用吸収性シート。
【請求項３】
前記液透過性シートの前記耐水性領域は、前記耐水剤を有しない非耐水性領域よりも狭い、請求項１又は２に記載のペット用吸収性シート。
【請求項４】
複数の前記耐水性領域が、非連続的に設けられており、
前記耐水剤を有しない非耐水性領域は、前記耐水性領域どうしの間に配置されている、請求項１から３のいずれか１項に記載のペット用吸収性シート。
【請求項５】
複数の前記耐水性領域が、非連続的に設けられており、
複数の前記耐水性領域は、互いに隣接する前記耐水性領域どうしを結ぶ第１仮想線と、互いに隣接する前記耐水性領域どうしを結ぶ第２仮想線と、を構成し、
前記耐水剤を有しない非耐水性領域は、前記第１仮想線と前記第２仮想線との間に配置されている、請求項１から４のいずれか１項に記載のペット用吸収性シート。
【請求項６】
複数の前記耐水性領域は、非連続的又は連続的に設けられ、複数の図形線を構成しており、
前記耐水剤を有しない非耐水性領域は、互いに隣接する前記図形線どうしの間に設けられている、請求項１から５のいずれか１項に記載のペット用吸収性シート。
【請求項７】
前記親水性繊維を含む前記液透過性シートは最表面に配置されている、請求項１から６のいずれか１項に記載のペット用吸収性シート。
【発明の詳細な説明】
【技術分野】
【０００１】
本発明は、ペットの排泄物、例えば尿を吸収するペット用吸収性シートに関する。
【背景技術】
【０００２】
ペットの排泄物、例えば尿を吸収するペット用吸収性シートが知られている（下記の特許文献１及び特許文献２参照）。ペット用吸収性シートは、液不透過性の裏面シートと、液透過性の表面シートと、裏面シートとシートとの間に位置する吸収体と、を有する。
【０００３】
特許文献１に記載されたペット用吸収性シートは、尿との接触により尿のｐＨに応じて変色するｐＨ指示薬を含有するインク組成物が印刷された印刷部を有する。このペット用吸収性シートによれば、尿のｐＨに基づいてｐＨ指示薬が変色することによって、尿のｐＨをより正確に把握できるようになるとされている。
【先行技術文献】
【特許文献】
【０００４】
【特許文献１】特開２０１２−５０４０５号
【発明の概要】
【発明が解決しようとする課題】
【０００５】
本願の発明者は、ペット用吸収性シート内のどのくらいの範囲まで排泄物、特に尿が広がっているかという点について、未だ改善の余地があることを見出した。特に、ペット用吸収性シート内のどのくらいの範囲まで排泄物が広がっているかよくわからない場合、ユーザ、例えばペットの飼い主は、いつペット用吸収性シートを交換すればよいか、理解しにくいことがある。
【０００６】
また、ペット、特に犬は、自らの排泄物によって汚れていない領域に新たに排泄行為を行う習性を持っていることが多い。しかしながら、ペット自身がペット用吸収性シート内のどのくらいの範囲まで排泄物が広がっているか把握し難い場合、ペットは、未だ未排泄領域を有するペット用吸収性シートで排泄行為をせず、別の場所で排泄行為をしてしまうという可能性もある。
【０００７】
したがって、どのくらいの範囲まで排泄物、特に尿が広がっているかをより把握し易いいペット用吸収性シートが望まれる。
【課題を解決するための手段】
【０００８】
ペット用吸収性シートは、吸収コアと、前記吸収コアよりも表面側に設けられ、複数の親水性繊維を含む液透過性シートと、前記液透過性シートに部分的に設けられた耐水剤を含む複数の耐水性領域と、を有する。前記耐水性領域における前記耐水剤は、前記複数の親水性繊維によって形成される繊維間の隙間に跨って形成されている。
【図面の簡単な説明】
【０００９】
【図１】第１実施形態に係るペット用吸収性シートの平面図である。
【図２】図１に示すＡ−Ａ線に沿ったペット用吸収性シートの模式的断面図である。
【図３】ペット用吸収性シートの耐水性領域付近の模式的拡大図である。
【図４】部分的に付着した排泄物を有するペット用吸収性シートの拡大平面図である。
【発明を実施するための形態】
【００１０】
（１）実施形態の概要
本明細書及び添付図面の記載により、少なくとも以下の事項が明らかとなる。
【００１１】
一態様に係る吸収性物品は、吸収コアと、前記吸収コアよりも表面側に設けられ、複数の親水性繊維を含む液透過性シートと、前記液透過性シートに部分的に設けられた耐水剤を含む複数の耐水性領域と、を有し、前記耐水性領域における前記耐水剤は、前記複数の親水性繊維によって形成される繊維間の隙間に跨って形成されている。
【００１２】
本態様によれば、耐水性領域における耐水剤が繊維間の隙間に跨って形成されているため、耐水性領域は尿のような排泄物を弾く。したがって、耐水性領域は、ペットによる排泄行為の後であっても、尿のような排泄物を吸収しない。したがって、耐水性領域の見え方は、排泄前と排泄後においてほとんど変わらない。
【００１３】
一方で、耐水剤を有しない非耐水性領域は、尿のような排泄物を吸収することによって、尿のような排泄物に似た光特性を有することになる。すなわち、非耐水性領域の見え方は、ペットによる排泄行為の前と後で、大幅に変化し得る。特に、水分を吸収した非耐水性領域と水分をほとんど吸収しない耐水性領域との間における光の透過及び／又は反射特性が大きく異なることから、排泄物が付着した排泄領域内における非耐水性領域は、より目立つようになる。これにより、排泄物が付着している領域がどのくらい広がっているかを目視でより正確に把握できるようになる。
【００１４】
好ましい一態様によれば、前記耐水性領域における前記耐水剤の目付は、前記液透過性シートの目付の０．１倍以上である。
【００１５】
液透過性シートの目付に対する耐水剤の目付の比が０．１倍以上であることにより、耐水性領域では液透過性シートを構成する親水性繊維に多くの耐水剤が存在することになる。これにより、耐水性領域は、尿のような排泄物をより吸収し難くなるため、水分を吸収した非耐水性領域と水分を吸収しない耐水性領域との間における光の透過及び／又は反射特性がより大きく異なることになる。したがって、排泄物が付着した排泄領域内における非耐水性領域は、より目立つようになる。
【００１６】
好ましい一態様によれば、前記液透過性シートの前記耐水性領域は、前記耐水剤を有しない非耐水性領域よりも狭い。
【００１７】
耐水性領域が非耐水性領域よりも狭いため、ペット用吸収性シートに排泄された排泄物は、平面状に過度に広がることなく、非耐水性領域から吸収コア内に吸収される。これにより、１回の排泄行為で汚れない領域が比較的広くなるため、複数回の使用に耐え得るペット用吸収性シートを提供することができる。
【００１８】
好ましい一態様によれば、複数の前記耐水性領域が、非連続的に設けられており、前記耐水剤を有しない非耐水性領域は、前記耐水性領域どうしの間に配置されている。
【００１９】
耐水性領域どうしの間に非耐水性領域が存在することで、水分を吸収した非耐水性領域と水分を吸収しない耐水性領域との間における見え方の違いがよりわかり易くなり、排泄物の拡散がどこまで進んでいるかをより明確にすることができる。
【００２０】
好ましい一態様によれば、複数の前記耐水性領域が、非連続的に設けられており、複数の前記耐水性領域は、互いに隣接する前記耐水性領域どうしを結ぶ第１仮想線と、互いに隣接する前記耐水性領域どうしを結ぶ第２仮想線と、を構成し、前記耐水剤を有しない非耐水性領域は、前記第１仮想線と前記第２仮想線との間に配置されている。
【００２１】
第１仮想線と第２仮想線のいずれか一方もしくは両方に排泄物が達しているか、又は達していないかを把握ることで、排泄物の拡散がどこまで進んでいるかをより明確に把握することができる。
【００２２】
好ましい一態様によれば、複数の前記耐水性領域は、非連続的又は連続的に設けられ、複数の図形線を構成しており、前記耐水剤を有しない非耐水性領域は、互いに隣接する前記図形線どうしの間に設けられている。
【００２３】
複数の図形線のうちのどの図形線に排泄物が達しているか、又は達していないかを把握ることで、排泄物の拡散がどこまで進んでいるかをより明確に把握することができる。
【００２４】
好ましい一態様によれば、前記親水性繊維を含む前記液透過性シートは最表面に配置されている。
【００２５】
耐水剤を含む親水性繊維を有する液透過性シートが最表面に配置されているため、耐水性領域は、ペットの尿のような排泄物中の水分をより効果的に弾く。したがって、水分を吸収した非耐水性領域と水分をほとんど吸収しない耐水性領域との間における光の透過及び／又は反射特性がより大きく異なり、排泄物が付着した排泄領域内における非耐水性領域がより目立つようになる。
【００２６】
（２）ペット用吸収性シートの構成
以下、図面を参照して、実施形態に係るペット用吸収性シートについて説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００２７】
本明細書において、「ペット」は、脊椎動物や無脊椎動物を広く包含し、典型的には、猫、犬、ウサギ、ハムスターなどの愛玩動物を含む。
【００２８】
図１は、第１実施形態に係るペット用吸収性シートの平面図である。図２は、図１に示すＡ−Ａ線に沿ったペット用吸収性シートの模式的断面図である。図３は、ペット用吸収性シートの耐水性領域付近の模式的拡大図である。図４は、部分的に付着した排泄物を有するペット用吸収性シートの拡大平面図である。ペット用吸収性シート１０は、概して平坦なシートである。ペット用吸収性シート１０の表面は、ペットの排泄物を受ける面であり、以下では「排泄面」とも称される。なお、図１は、排泄面側から見たペット用吸収性シートの平面図である。
【００２９】
ペット用吸収性シート１０は、表面側に配置される表面シート１２と、裏面側に配置される裏面シート１４と、表面シート１２と裏面シート１４との間の吸収体２０とを有する。吸収体２０は、排泄物中の水分を吸収する吸収材料を含む吸収コア３０と、吸収コア３０を包むカバー層３４及びラップ層３５を有していてよい。
【００３０】
吸収コア３０は、表面シート１２と裏面シート１４との間に設けられている。表面シート１２は、ペットの排泄物のような液体を透過する透液性シートであってよい。透液性シートは、例えば透液性を有する不織布によって構成されていてよい。この透液性シートは、複数の親水性繊維を含み、複数の親水性繊維どうしの間には隙間が形成されている。
【００３１】
裏面シート１４は、ペットの排泄物のような液体を透過しない不透液性シートであってよい。裏面シート１４は、特に制限されないが、例えば高分子フィルムシートによって構成されていてよい。裏面シート１４の一部は表面シート１２よりも外側へ延びていてよい。この場合、ペット用吸収性シート１０の外周部では、排泄面側から裏面シート１４が視認可能となっている。
【００３２】
吸収コア３０は、特に限定されないが、パルプのような親水性繊維３１若しくは高吸収性ポリマー（ＳＡＰ）３２、又はこれらの組合せを含んでいてよい。一例として、本実施形態では、親水性繊維層３１上に高吸収性ポリマー（ＳＡＰ）３２が設けられている。
【００３３】
ペット用吸収性シート１０は、吸収コア３０の排泄面側を覆うカバー層３４と、吸収コア３０の非排泄面（裏面）側に設けられたラップ層３５と、を含んでいてよい。ラップ層３５は、吸収コア３０の裏面側から、吸収コア３０の側面で吸収コア３０の表面側へ折り返されている。ラップ層３５の表面側へ折り返された部分は、カバー層３４の端部よりも表面側に位置する。これにより、カバー層３４とラップ層３５の両方は、吸収コア３０を包んでいる。
【００３４】
カバー層３４及びラップ層３５は、透液性シートから構成されていてよい。この透液性シートは、複数の親水性繊維を含み、複数の親水性繊維どうしの間には隙間が形成されている。このような透液性シートとしては、例えばティッシュが挙げられる。
【００３５】
ペット用吸収性シート１０は、液透過性シートに部分的に設けられた耐水剤を含む複数の耐水性領域５０を有する。図３に示すように、耐水性領域５０では、耐水剤は、複数の親水性繊維によって形成される繊維間の隙間に跨って形成されている。本実施形態では、耐水剤は、表面シート１２を構成する液透過性シートに設けられている。この代わりに、耐水剤は、カバー層３４を構成する液透過性シートに設けられていてもよい。耐水剤は、吸収コア３０よりも表面側に設けられた複数の親水性繊維を含む液透過性シートに設けられていればよい。
【００３６】
好ましくは、図２に示すように、耐水剤が設けられた親水性繊維を含む液透過性シートは、最表面、すなわち表面シート１２に配置されている。耐水剤を含む親水性繊維を有する液透過性シートが最表面に配置されている場合、耐水性領域５０は、ペットの尿のような排泄物中の水分をより効果的に弾く。したがって、水分を吸収した非耐水性領域と水分をほとんど吸収しない耐水性領域との間における光の透過及び／又は反射特性がより大きく異なり、排泄物が付着した排泄領域内における非耐水性領域がより目立つようになる。
【００３７】
ここで、耐水剤の量、具体的には目付が小さい場合、耐水剤は、各々の親水性繊維の表面にのみ付着するだけであり、図３に示すように複数の親水性繊維によって形成される繊維間の隙間に跨って形成されない。本実施形態では、耐水剤の目付を大きくすることによって、耐水性領域５０における耐水剤を繊維間の隙間に跨って形成させることができた（図３参照）。これにより、耐水性領域５０は排泄物中の水分を十分に弾くことができる。したがって、耐水性領域５０は、ペットによる排泄行為の後であっても、排泄物中の水分を吸収しない。したがって、耐水性領域５０の見え方は、排泄前と排泄後においてほとんど変わらない（図４参照）。
【００３８】
一方で、耐水剤を有しない非耐水性領域は、排泄物中の水分を吸収することによって、排泄物の光特性に似た光特性を有することになる。すなわち、非耐水性領域の見え方は、ペットによる排泄行為の前と後で、大幅に変化し得る（図４参照）。特に、水分を吸収した非耐水性領域と水分をほとんど吸収しない耐水性領域５０との間における光の透過及び／又は反射特性が大きく異なることから、排泄物が付着した排泄領域内における非耐水性領域は、より目立つようになる。これにより、排泄物が付着している領域（図４の領域Ｒ）がどのくらい広がっているかを目視でより正確に把握できるようになる。
【００３９】
耐水性領域５０における耐水剤の目付は、耐水剤を含む液透過性シートの目付の好ましくは０．１倍以上、より好ましくは１倍以上である。これにより、液透過性シートの目付に対する耐水剤の目付が十分に大きくなり、耐水性領域５０では液透過性シートを構成する親水性繊維に多くの耐水剤が存在することになる。したがって、耐水性領域５０は、尿のような排泄物をより吸収し難くなるため、水分を吸収した非耐水性領域と水分を吸収しない耐水性領域５０との間における光の透過及び／又は反射特性がより大きく異なることになる。したがって、排泄物が付着した排泄領域内における非耐水性領域は、より目立つようになる。
【００４０】
耐水性領域５０は、平面視で耐水剤を有しない非耐水性領域よりも狭いことが好ましい。耐水性領域５０が非耐水性領域よりも狭いため、ペット用吸収性シートに排泄された排泄物は、平面状に過度に広がることなく、非耐水性領域から吸収コア３０内に吸収される。これにより、１回の排泄行為では汚れない領域が比較的広くなるため、複数回の使用に耐え得るペット用吸収性シートを提供することができる。
【００４１】
耐水剤を含む耐水性領域５０は、非断続的な領域を構成するように並んでいてもよい。この代わりに、耐水性領域５０は、連続的なライン（図形線）を構成するように直線的又は曲線的に延びていてもよい。本実施形態では、複数の耐水性領域５０は、非連続的に設けられており（図１参照）、耐水剤を有しない非耐水性領域が耐水性領域５０どうしの間に配置されている。各々の耐水性領域５０の面積は、例えば０．５〜１．５ｍｍ２の範囲であってよい。耐水性領域５０どうしの間に非耐水性領域が存在することで、水分を吸収した非耐水性領域と水分を吸収しない耐水性領域５０との間における見え方の違いがよりわかり易くなり、排泄物の拡散がどこまで進んでいるかをより明確にすることができる。
【００４２】
複数の耐水性領域５０は、互いに隣接する耐水性領域５０どうしを結ぶ第１仮想線５０ａと、互いに隣接する耐水性領域どうしを結ぶ第２仮想線５０ｂと、を構成していてよい。複数の耐水性領域５０は、互いに隣接する耐水性領域５０どうしを結ぶ仮想線５０ａ，５０ｂによって複数の図形線を描くように構成されていてよい（図４参照）。耐水性領域５０が複数の図形線を描くことによって、排泄物がどの図形線に達しているか、又は達していないかを容易に把握することができる。これにより、排泄物の拡散がどこまで進んでいるかをより明確に把握することができる。
【００４３】
仮想線５０ａ，５０ｂは、ユーザの視覚により「実質的に繋がったライン」と見做せる程度に近接した耐水性領域５０どうしを繋ぐ仮想ラインによって規定される。具体的には、仮想ライン５０ａ，５０ｂは、特定の耐水性領域５０と当該特定の耐水性領域５０に最も近い耐水性領域５０との間の距離の１．５倍以下の距離だけ離れた耐水性領域５０どうしを結ぶ仮想ラインであってよい。一例として、仮想ラインは、間隔が１ｃｍ以下、より好ましくは５ｍｍ以下の耐水性領域５０どうしを繋いだラインによって規定されていてもよい。
【００４４】
好ましくは、耐水剤を有しない非耐水性領域は、互いに隣接する耐水性領域５０どうしを結ぶ第１仮想線５０ａと互いに隣接する耐水性領域５０どうしを結ぶ第２仮想線５０ｂ第２仮想線との間に配置されている。例えば、この非耐水性領域は、第１仮想線５０ａと第２仮想線５０ｂとの間の間隔が１ｃｍを超える領域であってよい。前述したように、耐水性領域５０は、排泄物の拡散がどこまで進んでいるかを示す指標となる。したがって、本態様によれば、第１仮想線５０ａと第２仮想線５０ｂのいずれか一方もしくは両方に排泄物が達しているか、又は達していないかを容易に把握ることができる。これにより、ユーザは、排泄物の拡散がどこまで進んでいるかをより明確に把握することができる。
【００４５】
耐水性領域５０に設けられた耐水剤は、着色剤を含んでいてもよい。着色剤によって、耐水性領域５０と非耐水性領域との間に色差を付けることができる。この場合、表面側から見たときに、非耐水性領域と耐水性領域５０との色差（ΔＥ）は、好ましくは１０以下、より好ましくは５以下である。ここで、色差は、「L*a*b*表色系」によって規定される。
【００４６】
前述したように、非耐水性領域と耐水性領域との色差が小さい場合、ペット用吸収性シートの使用前において、非耐水性領域と耐水性領域５０とは目視で区別し難くなる。しかしながら、非耐水性領域が排泄物中の水分を吸収すると、非耐水性領域はくすんだ色に変化する。そのため、排泄物中の水分を吸収した非耐水性領域と耐水性領域５０との色差は、大きくなる。これにより、ユーザ又はペットは、排泄行為後において、排泄物が付着した領域内に耐水性領域５０が浮き出たように見える。したがって、ユーザ又はペットは、排泄物が付着した領域をより明確に把握することができる。なお、この効果をより促進させるため、表面シート１２は、白色であってよい。これは、排泄物が一般的にくすんだ色をしているからである。
【００４７】
図示した実施形態の代わりに、耐水性領域５０は、少なくとも吸収体２０を厚み方向に圧縮したエンボス部に設けられていてもよい。このエンボス部は、吸収体２０のみを厚み方向に圧縮することによって形成されていてもよく、吸収体２０と表面シート１２の両方を厚み方向に圧縮することによって形成されていてもよい。
【００４８】
次に、排泄物がペット用吸収性シート１０上に付着したときに、耐水性領域５０の見え易さについて試験した結果について説明する。試験のため、比較例にかかるペット用吸収性シートと、実施例１〜３にかかるペット用吸収性シート１０が用意された。比較例及び実施例１〜３に係るペット用吸収性シートは、耐水剤の目付が異なる点を除き、互いに同じ構成を有する。
【００４９】
比較例及び実施例１〜３において、耐水剤は、表面シートを構成する液透過性シートに設けられている。この液透過性シートの厚みは、０．１２ｍｍであり、液透過性シートの目付は１３．５ｇ／ｍｍ２であった。各々の耐水性領域５０の面積はおよそ１．０ｍｍ２である。
【００５０】
実施例１では、液透過性シートの目付に対する耐水剤の目付の比は、８．４である。実施例２では、液透過性シートの目付に対する耐水剤の目付の比は、３．９である。実施例３では、液透過性シートの目付に対する耐水剤の目付の比は、０．３４である。比較例では、液透過性シートの目付に対する耐水剤の目付の比は、０．０７７である。なお、比較例では、耐水剤の目付が小さく、それゆえ、耐水剤は、複数の親水性繊維によって形成される繊維間の隙間に跨って形成されておらず、各親水性繊維の表面に薄く付着している。
【００５１】
官能評価では、比較例及び実施例１〜３に係るペット用吸収性シート上にペットの排泄物を模した疑似水分を付着させ、疑似水分が付着した領域における耐水性領域５０の見え易さを目視にて評価した（表１参照）。
【００５２】
【表１】
2019110791.tif 000003
【００５３】
表１の「視認のし易さ」の欄における指標「◎」は、耐水性領域５０が非常にはっきり見えたことを示す。指標「○」は、耐水性領域５０がはっきり見えたことを示す。指標「△」は、耐水性領域５０があまり目立たなかったことを示す。上記の官能評価により、耐水性領域５０における耐水剤の目付は、液透過性シートの目付の好ましくは０．１倍以上、より好ましくは１倍以上であることがわかる。
【００５４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【００５５】
１０  ペット用吸収性シート
１２  表面シート
１４  裏面シート
２０  吸収体
３０  吸収コア
３４  カバー層
３５  ラップ層
５０  耐水性領域
Ｒ    排泄物
【図１】
2019110791.tif 000004
【図２】
2019110791.tif 000005
【図３】
2019110791.tif 000006
【図４】
2019110791.tif 000007